(57)【要約】      （修正有）【課題】ユーザへのメッセージの通知予定情報を設定する際のオペレータの手間を削減すると共にユーザに誤ったメッセージが通知されるのを防ぐ通知予定設定装置、見守りシステム、通知予定設定方法及びプログラムを提供する。【解決手段】通知システムにおいて、見守り対象となるユーザへのメッセージの通知予定に関する通知予定情報を設定する通知予定設定装置（サーバ装置１００）は、記憶手段と入力手段と方式選択手段と複製手段とを有する。記憶手段は、複数の通知予定情報をユーザごとに記憶する。入力手段は、ユーザを見守るオペレータからユーザの中から複製元及び複製先を指定する入力を受け付ける。方式選択手段は、無効複製方式または無変更複製方式のいずれかを選択する。複製手段は、方式選択手段が選択した方式で上記複製元の通知予定情報を複製し、通知予定情報を設定する。【選択図】図１
2020136826.tif 000002
【特許請求の範囲】
【請求項１】
見守り対象であるユーザへのメッセージの通知予定に関する通知予定情報を設定する通知予定設定装置であって、
複数の前記通知予定情報のそれぞれを、当該通知予定情報に従った前記メッセージの通知処理が有効と無効のいずれに設定されているかを表すフラグ情報と対応づけて前記ユーザごとに記憶する記憶手段と、
前記ユーザを見守るオペレータから、少なくとも前記ユーザの中から複製元及び複製先を指定する入力を受け付ける入力手段と、
前記複製先の前記通知予定情報の前記フラグ情報を無効にして複製する無効複製方式と、前記複製先の前記通知予定情報の前記フラグ情報を前記複製元と同じ値にして複製する無変更複製方式のいずれかを選択する方式選択手段と
前記方式選択手段が選択した方式で前記複製元の前記通知予定情報を複製して前記複製先の前記通知予定情報を設定する複製手段と、
を具備する通知予定設定装置。
【請求項２】
前記複製手段は、前記方式選択手段が前記無効複製方式を選択した場合、前記複製元の通知予定情報のうち前記フラグ情報が無効に設定された前記通知予定情報は複製せず、前記フラグ情報が有効に設定された前記通知予定情報を無効に変更して複製する
請求項１に記載の通知予定設定装置。
【請求項３】
前記方式選択手段は、前記フラグ情報を有効に変更して複製する有効複製方式をさらに選択可能である
請求項１または２に記載の通知予定設定装置。
【請求項４】
見守り対象であるユーザへの出力手段を有するユーザ端末および当該ユーザ端末とネットワークを通じて通信可能に接続され前記ユーザへメッセージを通知する予定に関する通知予定情報に従って前記メッセージを前記ユーザ端末に送信するセンタ装置を具備する見守りシステムであって、
前記センタ装置は、
複数の前記通知予定情報のそれぞれを、当該通知予定情報に従った前記メッセージの通知処理が有効と無効のいずれに設定されているかを表すフラグ情報と対応づけて前記ユーザごとに記憶する記憶手段と、
前記ユーザを見守るオペレータから、少なくとも前記ユーザの中から複製元及び複製先を指定する入力を受け付ける入力手段と、
前記複製先の前記通知予定情報の前記フラグ情報を無効にして複製する無効複製方式と、前記複製先の前記通知予定情報の前記フラグ情報を前記複製元と同じ値にして複製する無変更複製方式のいずれかを選択する方式選択手段と
前記方式選択手段が選択した方式で前記複製元の前記通知予定情報を複製して前記複製先の前記通知予定情報を設定する複製手段と、を有する
見守りシステム。
【請求項５】
前記記憶手段は、前記ユーザと前記ユーザ端末とを対応づけた情報を更に記憶し、
前記方式選択手段は、前記入力手段からの入力により、同一の前記ユーザの異なる前記ユーザ端末間での前記通知予定情報の複製が指定された場合、前記無変更複製方式を選択する
請求項４に記載の見守りシステム。
【請求項６】
見守り対象であるユーザへのメッセージの通知予定に関する複数の通知予定情報のそれぞれを、当該通知予定情報に従った前記メッセージの通知処理が有効と無効のいずれに設定されているかを表すフラグ情報と対応づけて前記ユーザごとに記憶し、
前記ユーザを見守るオペレータから、少なくとも前記ユーザの中から複製元及び複製先を指定する入力を受け付け、
前記複製先の前記通知予定情報の前記フラグ情報を無効にして複製する無効複製方式と、前記複製先の前記通知予定情報の前記フラグ情報を前記複製元と同じ値にして複製する無変更複製方式のいずれかを選択し、
前記選択された複製方式に従って前記複製元の前記通知予定情報を複製して前記複製先の前記通知予定情報を設定する
通知予定設定方法。
【請求項７】
見守り対象であるユーザへのメッセージの通知予定に関する通知予定情報を設定する通知予定設定装置に、
複数の前記通知予定情報のそれぞれを、当該通知予定情報に従った前記メッセージの通知処理が有効と無効のいずれに設定されているかを表すフラグ情報と対応づけて前記ユーザごとに記憶するステップと、
前記ユーザを見守るオペレータから、少なくとも前記ユーザの中から複製元及び複製先を指定する入力を受け付けるステップと、
前記複製先の前記通知予定情報の前記フラグ情報を無効にして複製する無効複製方式と、前記複製先の前記通知予定情報の前記フラグ情報を前記複製元と同じ値にして複製する無変更複製方式のいずれかを選択するステップと、
前記選択された複製方式に従って前記複製元の前記通知予定情報を複製して前記複製先の前記通知予定情報を設定するステップと
を実行させるプログラム。
【発明の詳細な説明】
【技術分野】
【０００１】
本発明は、センタのオペレータから見守り対象のユーザに対してメッセージを通知するための通知予定設定装置、見守りシステム、通知予定設定方法及びプログラムに関する。
【背景技術】
【０００２】
近年、特に独居の高齢者宅に音声の入出力機能を持つ機器（例えば対話型ロボット）を設置して、当該機器を介して音声の受け答えをすることで「つながり感」や「見守られ感」を醸成する対話システムが提案されている。
【０００３】
そのシステムでは、例えば起床時間が大よそ決まっているユーザについて、起床時間から少し時間を置いて「おはようございます。」といった挨拶文を機器に発話させることで、上記「つながり感」や「見守られ感」が醸成可能となる。
【０００４】
このような技術に関連して、特許文献１には、安否確認システムの一部として既定のスケジュール情報に従ってユーザ（主に独居老人）に対して所定のメッセージを送信する技術が開示されている。
【先行技術文献】
【特許文献】
【０００５】
【特許文献１】特開２０１０−１４１４４５号公報
【発明の概要】
【発明が解決しようとする課題】
【０００６】
しかしながら、上記特許文献１の技術のように、メッセージ送信を拡張して日常生活に関するメッセージを送信する場合、多くのスケジュール情報を設定する必要がある。そしてユーザが増えてくると、スケジュール情報の設定の負荷が増大していくため、既存のスケジュール情報を活用して、つまりコピー＆ペーストして順次設定するのが好適である。
【０００７】
ここで、他人の設定をコピー＆ペーストして活用（流用）する際には、一般的には一部修正が求められるが、修正し忘れが生じると、ユーザに合わないメッセージ送信が行われ、当該メッセージを受けたユーザの「つながり感」や「見守られ感」が損なわれてしまう。一方で、ユーザ端末の故障・交換時など、ユーザに変更が無い場合には、本人の設定をそのまま承継すればよいため修正は特に必要ではなく、コピー＆ペースト後迅速な運用開始が求められる。
【０００８】
以上のような事情に鑑み、本発明の目的は、ユーザへのメッセージの通知予定情報を設定する際のオペレータの手間を削減すると共にユーザに誤ったメッセージが通知されるのを防ぐことが可能な通知予定設定装置、見守りシステム、通知予定設定方法及びプログラムを提供することにある。
【課題を解決するための手段】
【０００９】
上記目的を達成するため、本発明の一形態に係る通知予定設定装置は、見守り対象となるユーザへのメッセージの通知予定に関する通知予定情報を設定する通知予定設定装置であって、記憶手段と入力手段と方式選択手段と複製手段とを有する。
上記記憶手段は、複数の上記通知予定情報のそれぞれを、当該通知予定情報に従った上記メッセージの通知処理が有効と無効のいずれに設定されているかを表すフラグ情報と対応づけて上記ユーザごとに記憶する。上記入力手段は、上記ユーザを見守るオペレータから、少なくとも上記ユーザの中から複製元及び複製先を指定する入力を受け付ける。上記方式選択手段は、複製先の上記通知予定情報の上記フラグ情報を無効にして複製する無効複製方式と、上記複製元の通知予定情報の上記フラグ情報を上記複製元と同じ値にして複製する無変更複製方式のいずれかを選択する。上記複製手段は、上記方式選択手段が選択した方式で上記複製元の上記通知予定情報を複製して上記複製先の上記通知予定情報を設定する。
【００１０】
この構成により、通知予定情報を複製することでメッセージの通知予定情報を設定する際のオペレータ（操作者）の手間を削減することができると共に、通知予定情報のフラグ情報を変更せずに複製する方式だけでなく当該フラグ情報を全て無効にして複製する方式も選択可能とすることで、有効に設定されたままの通知予定情報に従ってユーザに誤ったメッセージが通知されるのを防ぐことができる。すなわち、あるユーザの通知予定情報を他のユーザに複製する場合、修正が必要な個所が存在すると考えられるが、無効複製方式を選択することで、一旦は通知を無効にして操作者の確認修正を経ることができるため、ユーザに本人に合わない通知がなされてしまうのを防ぐことができる。一方、同一ユーザについて通知のための機器間で通知予定情報を複製する場合には、それまでに設定されていた通知予定情報を変更する必要が無いため、無変更複製方式を選択することで、複製後に直ちに通知の運用を開始することができる。
【００１１】
上記通知予定設定装置において、上記複製手段は、上記方式選択手段が上記無効複製方式を選択した場合、上記複製元の通知予定情報のうち上記フラグ情報が無効に設定された上記通知予定情報は複製せず、上記フラグ情報が有効に設定された上記通知予定情報を無効に変更して複製してもよい。
【００１２】
これにより、活用されない通知予定情報が無駄に複製されるのを防ぎ、複製後に確認または修正の上活用すべき通知予定情報のみを選択的に複製することができる。
【００１３】
上記通知予定設定装置において、上記方式選択手段は、上記入力手段からの指示入力に従って、全ての上記フラグ情報を上記有効に変更して複製する有効複製方式をさらに選択可能であってもよい。
【００１４】
これにより、複製元の全てまたはほぼ全ての通知予定情報が複製後に通知に用いられることが分かっている場合には、有効複製方式を選択することで、上記無効複製方式や無変更複製方式を選択するよりも作業効率を向上させることができる。
【００１５】
本発明の他の形態に係る見守りシステムは、見守り対象であるユーザへの出力手段を有するユーザ端末および当該ユーザ端末とネットワークを通じて通信可能に接続され上記ユーザへメッセージを通知する予定に関する通知予定情報に従って上記メッセージを上記ユーザ端末に送信するセンタ装置を有する。
上記センタ装置は、記憶手段と入力手段と方式選択手段と複製手段とを有する。
上記記憶手段は、複数の上記通知予定情報のそれぞれを、当該通知予定情報に従った上記メッセージの通知処理が有効と無効のいずれに設定されているかを表すフラグ情報と対応づけて上記ユーザごとに記憶する。上記入力手段は、上記ユーザを見守るオペレータから、少なくとも上記ユーザの中から複製元及び複製先を指定する入力を受け付ける。上記方式選択手段は、複製先の上記通知予定情報の上記フラグ情報を無効にして複製する無効複製方式と、上記複製元の通知予定情報の上記フラグ情報を上記複製元と同じ値にして複製する無変更複製方式のいずれかを選択する。上記複製手段は、上記方式選択手段が選択した方式で上記複製元の上記通知予定情報を複製して上記複製先の上記通知予定情報を設定する。
【００１６】
上記通知システムにおいて、上記記憶手段は、上記ユーザと上記ユーザ端末とを対応づけた情報を更に記憶してもよい。この場合上記方式選択手段は、上記入力手段からの入力により、同一の上記ユーザの異なる上記ユーザ端末間での上記通知予定情報の複製が指定された場合、上記無変更複製方式を選択してもよい。
【００１７】
これにより、例えばユーザ端末の故障交換時等、同一ユーザ間で通知予定情報を複製する場合には、フラグ情報の変更が不要であることが明らかであるため、自動的に無変更複製方式を選択することで、操作者の選択作業の無駄を省くことができる。
【００１８】
本発明の他の形態に係る通知予定設定方法は、
見守り対象であるユーザへのメッセージの通知予定に関する複数の通知予定情報のそれぞれを、当該通知予定情報に従った上記メッセージの通知処理が有効と無効のいずれに設定されているかを表すフラグ情報と対応づけて上記ユーザごとに記憶し、
上記ユーザを見守るオペレータから、少なくとも上記ユーザの中から複製元及び複製先を指定する入力を受け付け、
上記複製先の上記通知予定情報の上記フラグ情報を無効にして複製する無効複製方式と、上記複製先の上記通知予定情報上記フラグ情報を上記複製元と同じ値にして複製する無変更複製方式のいずれかを選択し、
上記選択された複製方式に従って上記複製元の上記通知予定情報を複製して上記複製先の上記通知予定情報を設定する、ことを含む。
【００１９】
本発明の他の形態に係るプログラムは、見守り対象であるユーザへのメッセージの通知予定に関する通知予定情報を設定する通知予定設定装置に、
複数の上記通知予定情報のそれぞれを、当該通知予定情報に従った上記メッセージの通知処理が有効と無効のいずれに設定されているかを表すフラグ情報と対応づけて上記ユーザごとに記憶するステップと、
上記ユーザを見守るオペレータから、少なくとも上記ユーザの中から複製元及び複製先を指定する入力を受け付けるステップと、
上記複製先の上記通知予定情報の上記フラグ情報を無効にして複製する無効複製方式と、上記複製先の上記通知予定情報上記フラグ情報を上記複製元と同じ値にして複製する無変更複製方式のいずれかを選択するステップと、
上記選択された複製方式に従って上記複製元の上記通知予定情報を複製して上記複製先の上記通知予定情報を設定するステップと、を実行させる。
【発明の効果】
【００２０】
以上説明したように、本発明によれば、ユーザへのメッセージの通知予定情報を設定する際のオペレータの手間を削減すると共にユーザに誤ったメッセージが通知されるのを防ぐことができる。しかし、当該効果は本発明を限定するものではない。
【図面の簡単な説明】
【００２１】
【図１】本発明の一実施形態に係る通知システムの構成を示した図である。
【図２】上記通信システムが有するサーバ装置のハードウェア構成を示した図である。
【図３】上記サーバ装置が記憶する通知予定情報の例を示した図である。
【図４】上記サーバ装置による通知予定設定処理の流れを示したフローチャートである。
【図５】上記サーバ装置が表示する通知予定設定画面の例を示した図である。
【図６】上記サーバ装置が表示する通知予定設定画面の例を示した図である。
【図７】本発明の他の実施形態においてサーバ装置が表示する通知予定設定画面の例を示した図である。
【図８】本発明の他の実施形態においてサーバ装置が表示する通知予定設定画面の例を示した図である。
【図９】本発明の他の実施形態においてサーバ装置が表示する通知予定設定画面の例を示した図である。
【発明を実施するための形態】
【００２２】
以下、図面を参照しながら、本発明の実施形態を説明する。
【００２３】
［システムの構成］
図１は、本実施形態に係る通信システムの構成を示した図である。
【００２４】
同図に示すように、通知システムは、管理センタに設置されたサーバ装置１００と、サーバ装置１００と通信可能にネットワーク接続されたユーザ端末２００とで構成される。
【００２５】
ユーザ端末２００は、本システムのユーザ（例えば高齢者等）宅に設置され、少なくとも、ネットワークを通じてサーバ装置１００から送信されユーザに通知されるメッセージを受信する手段、そのメッセージをユーザに通知する出力手段を有する。
【００２６】
出力手段は、ユーザにつながり感を醸成すること、および高齢者は複雑な機械操作は難しいことを考慮して、音声を出力する装置としてのスピーカＳが好適である。あるいは加齢により聴力が低下したユーザ向けには目視でメッセージを認識してもらうべく、液晶パネルを用いた表示装置でも良い。
【００２７】
ユーザ端末２００は、少なくとも上記の構成要素を有していればよいが、ユーザにとって人とのやり取りを想起でき、親しみを持てるような外見として小型の人形を模した対話ロボットであってもよい。
【００２８】
またメッセージをユーザに音声で伝える場合に、発話に合わせて適宜ユーザ端末２００を振動させたり、内蔵した発光手段（ＬＥＤなど）により目や口を明るく表示したりしてもよい。
【００２９】
ユーザ端末２００は、サーバ装置１００から送信されてきたメッセージをユーザに聴覚または視覚により伝える機能を有するものとするが、逆にユーザがユーザ端末２００に対して話しかけた音声をマイクＭで集音して音声認識技術により文字列化してサーバ装置１００に送信する機能を有していても良い。
【００３０】
サーバ装置１００は、管理センタに常駐しユーザとメッセージのやり取りをするオペレータ（すなわちユーザを見守る者）によって使用される装置であり、ユーザへのメッセージの通知予定に関する通知予定情報を設定する通知予定設定装置として機能する。
【００３１】
サーバ装置１００は、少なくとも複製手段１１０、方式選択手段１２０、及び送信手段１３０を有する。またそれら手段を制御する制御手段を有する。詳細は後述するが、これらは適宜周知なハードウェアや記憶に記憶されているソフトウェアにより実現されている。
【００３２】
またサーバ装置１００には、記憶手段１４０が接続される。記憶手段１４０には、ユーザの通知スケジュールを示す上記通知予定情報Ｓが記憶されている。またサーバ装置１００には、例えばキーボードやマウス、その他のポインティングデバイス、またはタッチパネル等によりオペレータの入力を受け付ける入力手段１５０も接続されており、これらサーバ装置１００、記憶手段１４０および入力手段１５０によりセンタ装置を構成している。
【００３３】
詳細は後述するが、サーバ装置１００は、上記通知予定情報Ｓの内容が類似しているユーザ間や、同一ユーザの異なるユーザ端末２００間で、通知予定情報を複製し、必要に応じて適宜修正の上、設定することができる。
【００３４】
複製手段１１０は、上記入力手段１５０からの入力により指定された任意のユーザ間で上記通知予定情報Ｓを複製して設定する。当該通知予定情報Ｓにおいては、ユーザへの通知予定のメッセージが、当該通知予定に従ったユーザへのメッセージの通知処理が有効と無効のいずれに設定されているかを表す通知フラグ（フラグ情報）と対応づけられて、ユーザごとに記憶されている。
【００３５】
方式選択手段１２０は、上記入力手段１５０からの入力に従って、複製元の上記通知予定情報Ｓの全ての通知フラグを無効に変更して複製する無効複製方式と、複製元の通知予定情報Ｓの全ての通知フラグを変更せず複製する無変更複製方式と、複製元の通知予定情報Ｓの全ての通知フラグを有効に変更して複製する有効複製方式のいずれかを選択する。
【００３６】
送信手段１３０は、上記通知予定情報Ｓに従ってメッセージをユーザ端末２００に送信する。
【００３７】
［サーバ装置のハードウェア構成］
図２は、上記サーバ装置１００のハードウェア構成を示した図である。同図に示すように、センタサーバ１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００３８】
ＣＰＵ１１は、必要に応じてＲＡＭ１３等に適宜アクセスし、各種演算処理を行いながらセンタサーバ１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００３９】
またＣＰＵ１１は、上記複製手段１１０及び方式選択手段１２０として機能する。
【００４０】
入出力インタフェース１５には、表示部１６、操作受付部１７、記憶部１８、通信部１９等が接続される。
【００４１】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００４２】
操作受付部１７は、例えばマウス等のポインティングデバイス、キーボード、タッチパネル、その他の入力装置である。操作受付部１７は、上記入力手段１５０として機能する。
【００４３】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳのほか、スケジュール情報や、各種フラグ類、パラメータ類、サーバ装置１００の各手段を実現するソフトウェア類が記憶される。記憶部１８は、上記記憶手段１４０として機能する。
【００４４】
また本実施形態において、記憶部１８は、上述のように、通知予定情報Ｓ等のデータや、メッセージ生成を含むユーザ端末２００との対話のためのアプリケーションその他のプログラム及びデータベースを記憶している。
【００４５】
通信部１９は、例えばEthernet（登録商標）用のＮＩＣ（Network Interface Card）や無線ＬＡＮ等の無線通信用の各種モジュールであり、上記ユーザ端末２００との間の通信処理を担う。通信部１９は、上記送信手段１３０として機能する。
【００４６】
ユーザ端末２００のハードウェア構成も基本的には上記サーバ装置１００のハードウェア構成と同様であるが、ユーザ端末２００は、上述のように前面にマイクＭ及びスピーカＳを有する。
【００４７】
［通知予定情報］
次に、上記記憶手段１４０（記憶部１８）に記憶された通知予定情報の詳細について説明する。図３は、あるユーザの当該通知予定情報Ｓの例を示した図である。
【００４８】
同図に示すように、通知予定情報Ｓは、メッセージを通知予定のユーザのユーザ名、当該ユーザのユーザ端末２００の端末ＩＤ、メッセージの通知予定時刻、通知予定曜日、通知予定のメッセージの各項目を有する。
【００４９】
上記メッセージは、「おはようございます。お目覚めはいかが？」といった日常の挨拶や、「今日は朝食後にお薬を飲む日だよ。忘れずにね。」といった特定の曜日のイベントを通知するものの他、「毎日暑いですね。熱中症に気をつけてね。」といった時候の挨拶や、正月等の特定の季節のイベントに関するメッセージ等も含む。
【００５０】
したがって、季節やイベント時期等によって、通知予定情報Ｓとして入力されているもののユーザへの通知には用いないメッセージもある。本実施形態では、サーバ装置１００は、メッセージを通知に用いる（有効）か、通知に用いない（無効）かを設定可能であり、同図に示すように、通知予定情報Ｓにおいて当該有効と無効の各設定状態を通知フラグとして示し、各メッセージと対応付けて記憶している。
【００５１】
同図の例では、現在の季節が冬である場合のユーザＡさんに対する通知予定情報Ｓが示されており、夏用のメッセージである「毎日暑いですね。熱中症に気をつけてね。」及び「今週末は夏祭りがあるかもよ。」は無効に設定されている。
【００５２】
そしてサーバ装置１００は、当該通知予定情報Ｓを任意のユーザ間で複製して設定する際に、当該通知フラグの状態をどのように設定した上で複製するかを選択可能である。
【００５３】
［通知システムの動作］
次に、以上のように構成された通知システムの動作について説明する。当該動作は、サーバ装置１００のＣＰＵ１１や通信部１９等のハードウェアと、記憶部１８に記憶されたソフトウェアとの協働により実行される。下記の説明では、便宜上、サーバ装置１００のＣＰＵ１１を動作主体とする。
【００５４】
図４は、上記通知システムにおける通知予定情報Ｓの複製処理の流れを示したフローチャートである。なお同図では、新規登録のユーザに、既存ユーザの通知予定情報Ｓを複製して設定する場合の流れを示す。また図５及び図６は、上記通知予定情報Ｓの複製処理においてサーバ装置１００が表示する通知予定設定画面の例を示した図である。
【００５５】
図５（ａ）に示すように、通知予定設定画面は、上記図３で示した通知予定情報Ｓの各項目のうちユーザ名及び端末ＩＤを除く各情報の通知予定一覧５４と、当該ユーザ名及び端末ＩＤに対応するユーザ名入力欄５１及び端末ＩＤ入力欄５２、一覧表示ボタン５３、予定追加ボタン５５、予定削除ボタン５６、複製ボタン５７、貼り付け（全有効化）ボタン５８、貼り付け（全無効化）ボタン５９、貼り付け（不変）ボタン６０、決定ボタン６１及び取消ボタン６２を有する。
【００５６】
図４に示すように、まず、サーバ装置１００のＣＰＵ１１は、操作受付部１７により、上記ユーザ名入力欄５１及び端末ＩＤ入力欄５２から、既存ユーザのユーザ名と端末ＩＤの入力を受け付け、一覧表示ボタン５３の押下操作を受け付ける（ステップ１０１）。ユーザ名入力欄５１及び端末ＩＤ入力欄５２は、オペレータによる直接入力が可能な他、例えばプルダウンや別ウィンドウによりユーザ名一覧及び端末ＩＤ一覧を表示した上でいずれかのユーザ名及び端末ＩＤを選択させるものであってもよい。
【００５７】
続いてＣＰＵ１１は、上記入力されたユーザ名及び端末ＩＤに対応する通知予定を記憶手段１４０から読み出して一覧表示する（ステップ１０２）。
【００５８】
続いてＣＰＵ１１は、複製対象の通知予定の指定を受け付けた上で、複製ボタン５７の押下操作を受け付ける（ステップ１０３）。当該複製ボタン５７が押下操作が受け付けられると、ＣＰＵ１１はバッファ（クリップボード）に上記指定された通知予定の各項目情報を一時的に格納する（ステップ１０４）。
【００５９】
図５（ａ）では、ユーザＡさんの通知予定が一覧表示された状態が示されており、同図（ｂ）では、マウスの下方向へのドラッグ操作等により複製対象の通知予定が指定され、複製ボタン５７が押下された様子が示されている。
【００６０】
続いてＣＰＵ１１は、上記ユーザ名入力欄５１及び端末ＩＤ入力欄５２から、新規ユーザのユーザ名と端末ＩＤの入力を受け付け、一覧表示ボタン５３の押下操作を受け付ける（ステップ１０５）。
【００６１】
続いてＣＰＵ１１は、上記入力されたユーザ名及び端末ＩＤに対応する通知予定を記憶手段１４０から読み出して一覧表示する（ステップ１０６）。
【００６２】
図６（ａ）には、図５のＡさんの通知予定と似た通知予定を有するユーザとしてＢさんが選択され、一覧表示ボタン５３によりＢさんの通知予定が一覧表示された状態が示されている。同図に示すように、新規ユーザの場合、一覧は空欄で表示される。
【００６３】
図４に戻り、続いてＣＰＵ１１は、上記新規ユーザの通知予定が一覧表示された状態で貼り付けボタンの押下操作を受け付けると（ステップ１０７）、当該貼り付けボタンが貼り付け（全有効化）ボタン５８、貼り付け（全無効化）ボタン５９及び貼り付け（不変）ボタン６０のいずれのボタンであったかを判断する（ステップ１０８）。
【００６４】
押下された貼り付けボタンが貼り付け（全有効化）ボタン５８であると判断した場合、ＣＰＵ１１は、上記バッファに格納された通知予定情報Ｓの通知フラグを全て有効に変更した上で（ステップ１０９）、当該変更後の通知予定情報Ｓを記憶手段１４０に記憶し（ステップ１１１）、新規ユーザの一覧表示に貼り付けて一覧表示を更新する（ステップ１１２）。
【００６５】
押下された貼り付けボタンが貼り付け（全無効化）ボタン５８であると判断した場合、ＣＰＵ１１は、上記バッファに格納された通知予定情報Ｓの通知フラグを全て無効に変更した上で（ステップ１１０）、当該変更後の通知予定情報Ｓを記憶手段１４０に記憶し（ステップ１１１）、新規ユーザの一覧表示に貼り付けて一覧表示を更新する（ステップ１１２）。
【００６６】
押下された貼り付けボタンが貼り付け（不変）ボタン５８であると判断した場合、ＣＰＵ１１は、上記バッファに格納された通知予定情報Ｓを、通知フラグを変更せずにそのまま記憶手段１４０に記憶し（ステップ１１１）、新規ユーザの一覧表示に貼り付けることで一覧表示を更新する（ステップ１１２）。
【００６７】
そしてＣＰＵ１１は、決定ボタン６１の押下操作が受け付けられた場合には一連の設定作業を終了する（ステップ１１３）。
【００６８】
図６（ａ）では、新規ユーザのＢさんの通知予定設定画面上で貼り付け（全無効化）ボタン５９が押下された状態が示されており、同図（ｂ）に示すように、Ｂさんの通知予定Ｎｏ．１とＮｏ．２については、Ａさんの対応する通知予定では「有効」だったものが、貼り付けの際に「無効」に変更されている。
【００６９】
この状態でオペレータは、各通知予定欄の各項目を選択操作することで、Ｂさんについて、適宜要望に応じて曜日や時刻、メッセージの内容を修正することができる。
【００７０】
そしてオペレータは、各通知予定欄の通知フラグ項目を選択操作（例えば右クリック）することで、フラグを変更することができる。同図（ｃ）においては、一旦通知フラグが無効に設定されて複製されたＮｏ．１の通知予定の通知フラグが有効に変更される様子が示されている。
【００７１】
［まとめ］
以上説明したように、本実施形態によれば、サーバ装置１００は、メッセージの通知予定情報Ｓをユーザ（ユーザ端末２００）間で複製することで、通知予定情報Ｓを設定する際のオペレータの手間を削減することができると共に、通知予定情報Ｓの通知フラグを変更せずに複製する方式だけでなく当該フラグ情報を全て無効にして複製する方式も選択可能とすることで、有効に設定されたままの通知予定情報Ｓに従ってユーザに本人に合わないメッセージが通知されるのを防ぐことができる。
【００７２】
［変形例］
本発明は上述の実施形態にのみ限定されるものではなく、本発明の要旨を逸脱しない範囲内において種々変更され得る。
【００７３】
上述の実施形態では、通知予定情報Ｓの複製元のユーザと複製先のユーザが異なる場合が示された。しかし、複製元のユーザと複製先のユーザは同一であってもよい。例えばユーザ端末２００が故障して新しいものに交換した場合には、ユーザ名が同一で端末ＩＤが異なる状態が生じる。
【００７４】
図７には、上述の実施形態における図５に示したのと比較して、同じユーザ「Ａさん」について、異なる端末ＩＤ「Ａ０１１」（図５では「Ａ０１０」）が選択されている例が示されている。
【００７５】
このように、入力手段１４０からの入力により、同一のユーザの異なるユーザ端末２００間での通知予定情報Ｓの複製が指定された場合（例えばバッファに通知予定情報Ｓが格納された状態で、同一ユーザの異なる端末ＩＤが選択された場合）、サーバ装置１００は、貼り付け（不変）ボタン６０の押下操作を待つことなく、無変更複製方式を自動的に選択して貼り付け処理を実行してもよい。これにより、通知フラグの変更が不要であることが明らかである場合に、自動的に無変更複製方式を選択することで、オペレータの選択作業の無駄を省くことができる。
【００７６】
また、同様に同一ユーザの異なるユーザ端末２００間での複製処理が指示された場合には、サーバ装置１００は、図８に示すように、貼り付けボタンとして貼り付け（不変）ボタン６０のみを押下操作可能とし、他の貼り付けボタンをブラックアウト等により押下操作不能な状態に設定してもよい。これによりオペレータに選択肢を与えずに複製作業を迅速に進めることができる。
【００７７】
上述の実施形態では、無効複製方式が選択された場合、すなわち貼り付け（全無効化）ボタン５９が押下された場合には、サーバ装置１００は、複製元の複数の通知予定情報Ｓにのうち通知フラグが有効に設定されているものは無効に変更し、無効に設定されているものはそのまま変更せずに複製していた。しかし、サーバ装置１００は、無効複製方式を選択された場合、複数の通知予定情報Ｓのうち通知フラグが無効に設定されたものは複製せず、通知フラグが有効に設定されたもののみを無効に変更して複製してもよい。
【００７８】
図９は、この場合の通知予定設定画面の例を示した図である。図５で示した通知予定情報Ｓについて貼り付け（全無効化）ボタン５９が押下された場合、図９に示すように、サーバ装置１００は、図５で示した通知予定情報（Ｎｏ．１〜４）のうち、通知フラグが有効に設定されているもの（Ｎｏ．１と２）のみを無効に変更してコピーする。
【００７９】
これにより、複製しても活用されない可能性が高い通知予定情報Ｓが無駄に複製されるのを防ぎ、また複製先において、複製元で有効であった通知予定情報Ｓが、複製元で無効であった通知予定情報Ｓと区別が出来なくなるのを防いで、複製後に確認または修正の上活用すべき通知予定情報Ｓのみを選択的に複製することができる。
【００８０】
上述の実施形態において、複製元の通知予定情報Ｓは、実在のユーザの通知予定情報Ｓとされた。しかし、仮想的なユーザの通知予定情報Ｓ（通知予定情報の雛形）が複製されて実在のユーザの通知予定情報Ｓとして設定されてもよい。
【００８１】
本願の特許請求の範囲に記載された発明のうち、「通知予定設定方法」と記載された発明は、その各ステップを、ソフトウェアによる情報処理によりコンピュータ等の少なくとも１つの装置が自動的に行うものであり、人間がコンピュータ等の装置を用いて行うものではない。すなわち、当該「通知予定設定方法」は、コンピュータ・ソフトウェアによる情報処理方法であって、コンピュータという計算道具を人間が操作する方法ではない。
【符号の説明】
【００８２】
１１…ＣＰＵ
１８…記憶部
１９…通信部
１００…サーバ装置
１１０…複製手段
１２０…方式選択手段
１３０…送信手段
１４０…記憶手段
１５０…入力手段
２００…ユーザ端末
Ｓ…通知予定情報
【図１】
2020136826.tif 000003
【図２】
2020136826.tif 000004
【図３】
2020136826.tif 000005
【図４】
2020136826.tif 000006
【図５】
2020136826.tif 000007
【図６】
2020136826.tif 000008
【図７】
2020136826.tif 000009
【図８】
2020136826.tif 000010
【図９】
2020136826.tif 000011